【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
基地局で行われる、ディスカバリー信号を伝送する方法であって、
ディスカバリ信号リソースプールからＭ個のディスカバリ信号リソースを決定するステップであって、前記ディスカバリ信号リソースプールに属するリソースの一部または全部のリソースが前記Ｍ個のディスカバリ信号リソースとして決定され、Ｍは１以上の自然数である、ステップと、
Ｍ個のディスカバリ信号ブロックを生成するステップであって、前記Ｍ個のディスカバリ信号ブロックの各々がプライマリ同期信号（ＰＳＳ）、セカンダリー同期信号（ＳＳＳ）、物理ブロードキャストチャネル（ＰＢＣＨ）、および前記物理ブロードキャストチャネルのデモのための参照信号を含む、ステップと、
前記Ｍ個のディスカバリ信号リソースの中から第ｍのディスカバリ信号リソースを通じて第ｍのディスカバリ信号ブロックを伝送するステップであって、ｍは１からＭまでの自然数である、ステップと、
を備え、
前記Ｍ個のディスカバリ信号リソースの各々は、前記ｍにかかわらず同じ数のシンボルおよび同じ数の副搬送波（ｓｕｂｃａｒｒｉｅｒ）からなり、前記プライマリ同期信号、前記セカンダリー同期信号、前記物理ブロードキャストチャネルおよび前記参照信号が前記Ｍ個のディスカバリ信号リソースの各々の内でマッピングされるリソースの位置は、前記ｍにかかわらず前記Ｍ個のディスカバリ信号ブロックにわたって同じである、方法。
【請求項２】
前記Ｍ個のディスカバリ信号リソースの各々は、前記ディスカバリ信号リソースプールの周波数リソース領域と同一の周波数リソース領域を有する、請求項１に記載の方法。
【請求項３】
前記ディスカバリ信号リソースプールはＬ個のディスカバリ信号リソースを含み、前記Ｍ個のディスカバリ信号リソースは前記Ｌ個のディスカバリ信号リソースから決定され、ＬはＭ以上の自然数である、請求項１に記載の方法。
【請求項４】
前記Ｍ個のディスカバリ信号ブロックの各々は、前記プライマリ同期信号がマッピングされるシンボルにおいて前記プライマリ同期信号の帯域幅の端に少なくとも１つのガード副搬送波（ｇｕａｒｄ  ｓｕｂｃａｒｒｉｅｒ）をさらに含む、請求項１に記載の方法。
【請求項５】
前記Ｍ個のディスカバリ信号ブロックの各々において、前記プライマリ同期信号がマッピングされるシンボルは、前記セカンダリー同期信号がマッピングされるシンボルよりも早い、請求項１に記載の方法。
【請求項６】
前記Ｍ個のディスカバリ信号ブロックは、前記Ｍ個のディスカバリ信号リソースを通じて周期的に伝送される、請求項１に記載の方法。
【請求項７】
前記第ｍのディスカバリ信号ブロックを構成する前記プライマリ同期信号、前記セカンダリー同期信号、前記物理ブロードキャストチャネルおよび前記参照信号のためのアンテナポートは同じである、請求項１に記載の方法。
【請求項８】
前記ディスカバリ信号リソースプールの前記Ｍ個のディスカバリ信号ブロックのうちの２つのディスカバリ信号ブロック間の時間距離は、シンボルの正の整数である、請求項１に記載の方法。
【請求項９】
端末に、測定ウィンドウの時間長さ（ｔｉｍｅ  ｄｕｒａｔｉｏｎ）と周期を含む測定構成情報（ｍｅａｓｕｒｅｍｅｎｔ  ｃｏｎｆｉｇｕｒａｔｉｏｎ  ｉｎｆｏｒｍａｔｉｏｎ）を提供するステップであって、前記測定ウィンドウにおいて前記端末は前記Ｍ個のディスカバリ信号ブロックの少なくとも一部に基づいて測定を行う、ステップをさらに備える、請求項１に記載の方法。
【請求項１０】
前記端末によって前記測定ウィンドウで行われる前記測定は、無線リソース管理またはビーム獲得のためである、請求項９に記載の方法。
【請求項１１】
端末で行われる、ディスカバリー信号を受信する方法であって、
ディスカバリ信号リソースプールに属するＭ個のディスカバリ信号リソースの中のディスカバリ信号リソースを通じてＭ個のディスカバリ信号ブロックの中のディスカバリ信号ブロックに属する、プライマリ同期信号（ＰＳＳ）およびセカンダリー同期信号（ＳＳＳ）を受信するステップであって、Ｍは１以上の自然数である、ステップと、
前記端末が前記プライマリ同期信号および前記セカンダリー同期信号を受信した前記ディスカバリ信号リソースを通じて、前記ディスカバリ信号ブロックから、物理ブロードキャストチャネル（ＰＢＣＨ）、および前記物理ブロードキャストチャネルのデモのための参照信号を受信するステップと、
を備え、
第ｍのディスカバリ信号ブロックは、前記Ｍ個のディスカバリ信号リソースの中の第ｍのディスカバリ信号リソースを通じて伝送され、ｍは１からＭまでの自然数であり、前記Ｍ個のディスカバリ信号リソースの各々は、前記ｍにかかわらず同じ数のシンボルおよび同じ数の副搬送波（ｓｕｂｃａｒｒｉｅｒ）からなり、前記プライマリ同期信号、前記セカンダリー同期信号、前記物理ブロードキャストチャネルおよび前記参照信号が前記Ｍ個のディスカバリ信号リソースの各々の内でマッピングされるリソースの位置は、前記ｍにかかわらず前記Ｍ個のディスカバリ信号ブロックにわたって同じである、方法。
【請求項１２】
前記Ｍ個のディスカバリ信号リソースの各々は、前記ディスカバリ信号リソースプールの周波数リソース領域と同一の周波数リソース領域を有する、請求項１１に記載の方法。
【請求項１３】
前記ディスカバリ信号リソースプールはＬ個のディスカバリ信号リソースを含み、前記Ｍ個のディスカバリ信号リソースは前記Ｌ個のディスカバリ信号リソースから決定され、ＬはＭ以上の自然数である、請求項１１に記載の方法。
【請求項１４】
前記端末は、前記プライマリ同期信号、前記セカンダリー同期信号、前記物理ブロードキャストチャネルおよび前記参照信号を前記Ｍについての知識無く受信する、請求項１１に記載の方法。
【請求項１５】
前記Ｍ個のディスカバリ信号ブロックの各々は、前記プライマリ同期信号がマッピングされるシンボルにおいて前記プライマリ同期信号の帯域幅の端に少なくとも１つのガード副搬送波（ｇｕａｒｄ  ｓｕｂｃａｒｒｉｅｒ）をさらに含む、請求項１１に記載の方法。
【請求項１６】
前記Ｍ個のディスカバリ信号ブロックの各々において、前記プライマリ同期信号がマッピングされるシンボルは、前記セカンダリー同期信号がマッピングされるシンボルよりも早い、請求項１１に記載の方法。
【請求項１７】
前記端末は、前記Ｍ個のディスカバリ信号ブロックが前記Ｍ個のディスカバリ信号リソースを通じて周期的に伝送されることを仮定する、請求項１１に記載の方法。
【請求項１８】
前記第ｍのディスカバリ信号ブロックを構成する前記プライマリ同期信号、前記セカンダリー同期信号、前記物理ブロードキャストチャネルおよび前記参照信号のためのアンテナポートは同じである、請求項１１に記載の方法。
【請求項１９】
基地局から、測定ウィンドウの時間長さ（ｔｉｍｅ  ｄｕｒａｔｉｏｎ）と周期を含む測定構成情報（ｍｅａｓｕｒｅｍｅｎｔ  ｃｏｎｆｉｇｕｒａｔｉｏｎ  ｉｎｆｏｒｍａｔｉｏｎ）を受信するステップであって、前記測定ウィンドウにおいて前記端末は前記Ｍ個のディスカバリ信号ブロックの少なくとも一部に基づいて測定を行う、ステップをさらに備える、請求項１１に記載の方法。
【請求項２０】
前記端末は、無線リソース管理またはビーム獲得のために前記測定ウィンドウで前記測定を行う、請求項１９に記載の方法。